(57)【要約】    【課題】注入物を注入しやすく、使いやすい保温用又は保冷用の袋体の提供。    【解決手段】本発明に係る保温用又は保冷用の袋体１は、ポリマー組成物からなる。袋体１は、袋状の本体３と、この本体３から起立して本体３の内部と外気とを連通する筒体９を有する注ぎ口５とを備えている。この注ぎ口５には、装着されて注ぎ口５との間を液密に保つ蓋７が備えられている。上記蓋７は上方に向かって拡径していることが好ましい。さらに好ましくは、筒体９内部の高さ方向中間に筒体９の内径を縮小し蓋７のストッパーとなる肉厚の段差部を備えていることである。上記筒体９の上部は、蓋７が取り付けられた後に、筒体９の内側に折りたたまれてもよい。この折りたたみ部には留め具２５が用いられてもよい。【選択図】図１
2005318969.tif 000002
【特許請求の範囲】
【請求項１】
ポリマー組成物からなり、袋状である本体と、
この本体から起立して本体の内部と外気とを連通する筒体を有する注ぎ口と、
この注ぎ口に装着されて注ぎ口との間を液密に保つ蓋と
を備えた保温用又は保冷用の袋体。
【請求項２】
上記蓋が上方に向かって拡径している請求項１に記載の保温用又は保冷用の袋体。
【請求項３】
筒体内部の高さ方向中間に筒体の内径を縮小し蓋のストッパーとなる肉厚の段差部を
備えている請求項１又は２に記載の保温用又は保冷用の袋体。
【発明の詳細な説明】
【技術分野】
【０００１】
本発明は、湯たんぽ、氷嚢又はこれに類する用途に用いうる保温用又は保冷用の袋体に関する。
【背景技術】
【０００２】
例えば、冬季の就寝時に足を温めるために、電気あんかや金属製の湯たんぽが用いられる。電気あんかは温度がコントロールされるが、電源コードを要し煩わしい。金属製の湯たんぽは、取り扱いにおいて重く、硬いため使用感が悪い。使用感がよい点から、ゴム等柔軟性のあるポリマーからなる湯たんぽが、今でも使われ続けている。
【０００３】
しかし、ゴム製湯たんぽは、通常注ぎ口が袋体の横に設けられている。この湯たんぽでは、注ぎ口を立ててお湯を注がなくてはならない。湯たんぽを使用する機会の多い老人や病人にとって、この湯たんぽにお湯を注入することは面倒である。片手に重いやかんを持ち、他方の手で湯たんぽを支えなければならない。お湯が熱いため湯たんぽの口を持ちにくいことがある。この湯たんぽは、袋体であるため、注入物を氷水にすれば、夏期には保冷に用いることができる。この場合は、氷又は氷水が注ぎ口から注入される。氷を注入する場合も、上記湯たんぽの場合と同様に不便である。
【発明の開示】
【発明が解決しようとする課題】
【０００４】
本発明は上記のような実情に鑑みなされたものであり、注入物を注入しやすく、身体にやさしく使いやすい保温用又は保冷用の袋体を提供することを目的としている。
【課題を解決するための手段】
【０００５】
本発明に係る保温用又は保冷用の袋体は、
ポリマー組成物からなり、袋状である本体と、
この本体から起立して本体の内部と外気とを連通する筒体を有する注ぎ口と、
この注ぎ口に装着されて注ぎ口との間を液密に保つ蓋と
を備えている。
【０００６】
好ましくは、上記蓋が上方に向かって拡径していることである。
【０００７】
さらに好ましくは、筒体内部の高さ方向中間に筒体の内径を縮小し蓋のストッパーとなる肉厚の段差部を備えていることである。
【発明の効果】
【０００８】
この保温又は保冷用袋体は、注ぎ口が袋体から起立して設けられているので、注ぎ口を立てる必要がない。この注ぎ口に注入物を注ぐときに袋体に触れなくてもよい。両手でやかん等をもって注ぎ口からお湯等を注ぐことができるので、この袋体は、誰もが楽に使うことができる。この保温又は保冷用袋体は、ポリマーから形成されているので、例えば足が載せられると撓んで足にフィットする。この保温又は保冷用袋体はまた、熱伝導が小さいため保温又は保冷の持続性がある。
【発明を実施するための最良の形態】
【０００９】
以下、適宜図面が参照されつつ、好ましい実施形態に基づいて本発明が詳細に説明される。
【００１０】
図１は、本発明の一実施形態に係る保温用又は保冷用の袋体１が示された斜視図である。図２（ａ）は、図１の保温用又は保冷用の袋体１が示された部分平面図である。図２（ｂ）は、図２（ａ）のＢ−Ｂ線に沿った断面図である。この保温用又は保冷用の袋体（以下「袋体」という）１は、本体３と、注ぎ口５と、蓋７とを備えている。この袋体は、主に足、頭等身体の一部を保温又は保冷するために用いられる。
【００１１】
上記本体は、可撓性を有するポリマー組成物からなる。このポリマー組成物は、袋状に成形され、架橋されて袋体１とされる。ポリマーの中でも取り扱い容易性及びコストの面からゴム、エラストマー又は軟質樹脂が特に好ましい。具体的には、ポリイソプレン、ポリブタジエン、スチレンブタジエンゴム、シリコンゴム、天然ゴム、ポリウレタン、ポリプロピレンと架橋ゴムとの複合材料、が例示される。
【００１２】
本体３の大きさ及び形状に特に制限はない。本体３が略長方形の場合は、短辺が１０ｃｍから３０ｃｍで長辺が２０ｃｍから４０ｃｍ、高さが、注入物が充填されたときに３ｃｍから８ｃｍ程度に形成されることが多い。本体の厚さは、用いられるポリマーにより異なる。ポリマーの耐傷性、引張強度等が大きい場合は薄くすることができる。しかし、その場合でも、熱伝導が高いと袋体１内部の温度が保たれにくい面から、厚みは、通常１ｍｍ以上とされる。本体３の厚みが厚すぎると、柔軟性が損なわれ又は重くなる恐れがある。厚みの上限は、通常４ｍｍ程度とされる。
【００１３】
注ぎ口５は、上記本体３から起立して設けられた筒体９を有する。筒体９は、通常、本体３と同じ材料により一体に成形される。本体３と別に成形された筒体９が接合されて形成されてもよい。本体３及び筒体９がゴムである場合には、加硫接着と呼ばれる接合方法が用いられることが多い。この筒体９は、本体３の上面において配置される場所に特に制限はない。図１に示されているように筒体９は本体３の端部近辺に設けられることが多い。筒体９も柔軟性を備えているため触感は悪くないが、本体３の隅部の方が使用中に邪魔になりにくいため好ましい。
【００１４】
この筒体９は、本体３内部と外気とを連通して上部に開口している。本体３に注入物が注がれやすいように、筒体９は、ある程度の太さを備えている。筒体９の直径は、ほぼ一定の直径でもよい。筒体９は、本体３との接合部１１及び筒体中間１３でほぼ一定の直径を有しており、筒体上部１５で筒体縁部１７に向かって拡径していてもよい。筒体中間１３で直径は、通常２ｃｍ以上７ｃｍ以下である。この直径が小さすぎると注入しにくく、大きすぎると袋体１の使用時に邪魔になる恐れがある。
【００１５】
上記筒体９は、蓋７が設けられるために必要な高さを有する。注ぎ口５に蓋７を装着されて袋体１が使用される状態における筒体９の高さは、蓋７の形状、構造等にもよるが、通常２ｃｍから５ｃｍ程度であることが好ましい。後述されるように、筒体上部１５は、蓋７が装着された後に筒体９の内側に折りたたまれる。袋体１の使用状態では、筒体９は折りたたまれた状態になっている。上記筒体９の高さは、袋体１の使用状態における高さである。
【００１６】
筒体９は、内部の高さ方向中間１３に筒体９の内径Ｒを縮小する肉厚の段差部１９を備えていることが好ましい。この段差部１９は、蓋７のストッパーとなる。この段差部１９が設けられていることにより、蓋７が筒体９に対して液密に保たれうる所定の位置に位置決めされやすい。
【００１７】
図２（ｂ）に示されているように、この段差部１９は、本体接合部１１から連続した厚肉の筒体９の壁により形成されている。この厚肉により、本体３又は筒体９の厚みが薄い場合でも筒体９の起立姿勢が維持されやすくなる。この段差部１９の筒体９内側への張出し代Ｔは通常０．５ｍｍから５ｍｍである。張出し代Ｔが小さすぎるとストッパーとしての効果がない。張出代Ｔが大きすぎると、本体３に例えば、湯が注ぎ込まれるときに、はね返り流れが生じる恐れがある。注ぎ込まれた湯は、本体３内部の空気を追い出しながら本体３底部から袋体１内部に流入していく。袋体１内が適当量の湯で満たされた後に、蓋７が取り付けられる。
【００１８】
蓋７は、通常筒体９よりも剛性が高い材質により形成され、金属、合成樹脂又はゴムが用いられうる。蓋７は、上記段差部１９より上の中間１３の内径Ｒに相応させて形成されている。蓋底２１の直径は、中間１３の内径Ｒと同じか若干大きい。この蓋７は、図２（ｂ）に示されているように、上方に向かって拡径した形状であることがより好ましい。この形状の方が平行の形状よりも、筒体上部１５の弾性変形により蓋７の側面２２に引張応力が作用してより液密に保たれやすい。
【００１９】
蓋７は、注ぎ口５から筒体９の壁を押し広げながら上記段差部１９まで押し下げられる。図２（ｂ）に蓋７が取り付けられる前の筒体上部１５が二点鎖線で示されている。この筒体上部１５は、蓋７がこのストッパーとなる段差部１９に達した後に、図２（ｂ）の実線で示されているように内側に折り込まれる。筒体上部１５の折りたたみ部２３にも歪みによる応力がかかっているので、折りたたみ部２３は蓋７の固定を補強している。
【００２０】
この折りたたみ部２３には、折りたたみ部２３を係止するための留め具２５を備えることが好ましい。図２（ａ）及び図２（ｂ）に示された留め具２５は、剛性を有し棒状に形成されている。筒体９が軟質材質からなるため、留め具２５がつっかい棒のように用いられると摩擦力によって外れにくくなる。この留め具２５により蓋７がさらにしっかり固定される。例えば、袋体１が湯たんぽとして足を温めるために用いられ、足により衝撃が与えられた場合でも、この蓋７は液密に保持される。
【００２１】
図３（ａ）は、本発明の他の実施形態に係る袋体３１が示された部分平面図である。図３（ｂ）は、図３（ａ）のＢ−Ｂ線に沿った断面図である。この袋体３１も、本体３３、注ぎ口３５及び蓋３７を備えている。この袋体３１は、ポリマー組成物からなる。この注ぎ口３５は、本体３３から起立して本体３３の内部と外気とを連通する筒体３９を備えている。この注ぎ口３５も内側の筒体３９の中間４１に、筒体３９の内径Ｒ’を縮小する肉厚の段差部４３を備えている。
【００２２】
この段差部４３は、図３（ｂ）に示されているように、筒体９の壁の一部がリング状に内側に突出した形態に形成されている。この段差部４３の内側への張出し代Ｔ’は、１ｍｍ以上で５ｍｍ以下程度であることが好ましい。この張出し代Ｔ’が小さいと蓋３７のストッパーとしての機能が十分でない恐れがある。
【００２３】
この蓋３７は上記図２に示された蓋７と同様に上方に向かって拡径している。この蓋３７が取り付けられた後に、図３（ｂ）に二点鎖線で示された筒体上部４５が内側に折り込まれて折り込み部４７が形成される。この折り込み部４７に留め具４９が取り付けられることがより好ましい。この留め具４９は、事務用品のクリップと同様のバネ弾性を備えている。材質は、金属又は合成樹脂からなる。この袋体３１も注入物を注ぎやすく、取り扱いが楽である。この袋体３１は、弾性を備えており柔軟性があるため使用感に優れている。
【産業上の利用可能性】
【００２４】
本発明は、湯たんぽ、氷嚢及びこれらに類する用途の袋体に適用されうる。
【図面の簡単な説明】
【００２５】
【図１】図１は、本発明の一実施形態に係る袋体が示された斜視図である。
【図２】図２は、図１の袋体が示された部分平面図及び部分断面図である。
【図３】図３は、本発明の他の実施形態に係る袋体が示された部分平面図及び部分断面図である。
【符号の説明】
【００２６】
１、３１・・・袋体
３、３３・・・本体
５、３５・・・注ぎ口
７、３７・・・蓋
９、３９・・・筒体
１１・・・接合部
１３、４１・・・中間
１５、４５・・・筒体上部
１９、４３・・・段差部
２３、４７・・・折りたたみ部
２５、４９・・・留め具
【図１】
2005318969.tif 000003
【図２】
2005318969.tif 000004
【図３】
2005318969.tif 000005